(57)【要約】  【課題】球体を用いて突起の配置を変えることができる指圧器具において、持ち運びや運搬が容易で、鉛直にしても使用することができる指圧器具を提供することを課題とする。  【解決手段】指圧器具として、柔軟性のあるシート体と、所定幅を有するゴム紐を当該ゴム紐上の長手方向に所定長さだけ離れる２線分の位置で前記シート体に固定することにより、所定の球体を保持可能に形成した２以上の球体保持部とから構成することで、適宜折り曲げることができ、球体をゴム紐とシート体との間に狭持固定することにより、どのような位置にしても球体が落下することがほとんどないのでシート体を鉛直にしても使用することができる。【選択図】  図2
0003130678.tif 000002
【実用新案登録請求の範囲】
【請求項１】
シート体と、
所定幅を有するゴム紐を当該ゴム紐上の長手方向に所定長さだけ離れる２線分の位置で前記シート体に固定することにより、所定の球体を保持可能に形成した２以上の球体保持部と
を有する指圧器具。
【請求項２】
前記指圧器具において、さらに、
前記球体保持部の前記ゴム紐とシート体との間において、他のゴム紐を前記シート体に固定した請求項１に記載の指圧器具。
【請求項３】
前記シート体を弾性力を有する素材により形成した請求項１又は２に記載の指圧器具。
【請求項４】
前記所定の球体はゴルフボールである請求項1又は２に記載の指圧器具。
【考案の詳細な説明】
【技術分野】
【０００１】
本考案はゴルフボールなどの球体を利用して指圧を行う器具に関する。
【背景技術】
【０００２】
指圧器具として、突起物に対して体重を加えることで突起物と接触している体の部位を押圧刺激するものがある。このような器具は、構造が簡易であるので、広く普及している。しかし、このような器具は、硬い台座に突起物が固定される構造をしているために、突起は同じ間隔、同じ配置でしか指圧をすることができない。
これに対して、下記特許文献には、プレートにゴルフボールを嵌めこむことができる凹部を複数設けた指圧器具が示されている。このような構成によれば、ゴルフボールを嵌めこむ凹部の位置を変えることで、任意の間隔や配置で指圧を行うことができる。
【特許文献１】実用新案登録第３０５８２８７号公報
【考案の開示】
【考案が解決しようとする課題】
【０００３】
しかし、上記特許文献に記載の考案は、硬質のプレートを用いているために持ち運びや運搬が不便であり、プレートを垂直にするとゴルフボールが落下しやすく立てて使うことはほとんどできない。
本考案は、このような事情に鑑みて、球体を用いて突起の配置を変えることができる指圧器具において、持ち運びや運搬が容易で、鉛直にしても使用することができる指圧器具を提供することを課題とする。
【課題を解決するための手段】
【０００４】
上記課題を解決するために、本考案は次のような構成を有する。
請求項１に記載の考案は、柔軟性のあるシート体と、所定幅を有するゴム紐を当該ゴム紐上の長手方向に所定長さだけ離れる２線分の位置で前記シート体に固定することにより、所定の球体を保持可能に形成した２以上の球体保持部とを有する指圧器具である。なお、ゴム紐には、組みゴム（コールゴム）、織りゴム、編みゴム、ゴムテープが含まれる。ゴム紐は固定した際にたるんでいてもよい。また、所定幅及び所定長さは、所定の球体を保持できる大きさに適宜定められる。
請求項２に記載の発明は、前記指圧器具において、さらに、前記球体保持部の前記ゴム紐とシート体との間において、他のゴム紐を前記シート体に固定したものである。
請求項３に記載の発明は、前記指圧器具において、前記シート体を弾性力を有する素材により形成したものである。
請求項４に記載の発明は、前記指圧器具において、前記所定の球体をゴルフボールとしたものである。
【考案の効果】
【０００５】
請求項１に記載の考案は、柔軟性のあるシート体とゴム紐とから形成すること、適宜折り曲げることができるので、収納運搬時に折りたたむことができる。また、球体をゴム紐とシート体との間に狭持固定することにより、どのような位置にしても球体が落下することがほとんどないので、椅子の背もたれにぶら下げて使用する等、シート体を鉛直にしても使用することができる。
請求項２に記載の考案は、ゴム紐とシート体との間において、他のゴム紐をシート体に固定することで、球体をゴム紐と他のゴム紐との間に狭持することで、両側から押圧力を加えることができるので、より球体を強固に保持することができる。
請求項３に記載の考案は、シート体を弾力性を有する素材により形成することによっても、球体を両側から押圧力を加えてより強固に保持することができる。
請求項４に記載の考案は、所定の球体をゴルフボールとすることで、ゴルフを趣味とする使用者等であれば、球体をいつでも入手することができ、利便性が高い。
【考案を実施するための最良の形態】
【０００６】
以下、本考案の実施の形態について説明する。
図１に本実施形態に係る指圧器具Ｘの斜視図を示す。この指圧器具ＸはゴルフボールＢを挿入して使用する。図２に指圧器具XのゴルフボールＢを挿入した状態を示す斜視図を示し、図３に図２のＡ−Ａ端面図を示す。指圧器具Ｘは、帆布製の長方形状のシート体１０と、シート体１０の上面に設けられる球体保持部２１とから構成される。球体保持部２１は、幅５ｃｍの織りゴムでできたゴム紐２０を二つ折りにして重ね、所定位置でシート体１０に縫いつけることでできる相対するゴム紐同士の隙間により形成される。固定する所定位置は、ゴム紐２０の長手方向に６ｃｍの間隔が空くように設定されており、この間隔部分が球体保持部２１を構成する。また、ゴム紐２０は固定する際にやや弛みを持たせるようにしてあり、球体保持部２１の上下方向にやや隙間が形成されることでゴルフボールＢを挿入しやすくなっている。この球体保持部２１の隙間にゴルフボールを挿入すると、ゴルフボールは直径約４３ｍｍ程度なので上下からゴルフボールＢをしっかりと動かないように狭持固定することができる。球体保持部２１は、一本のゴム紐２０に対して４つ設けられ、このようなゴム紐２０がシート体１０の長手方向に５本平行に縫い付けられることで、球体保持部２１は合計２０個形成される。
【０００７】
次に、以上のような構成を有する指圧器具Ｘの使用方法について説明する。使用に際しては、まず、球体保持部２１のいくつかの位置にゴルフボールＢを挿入し固定する。挿入する位置は、背中の押圧したい箇所に対応させて決めればよい。この状態で、使用者は、指圧器具Ｘを床や布団に引き、背中の押圧したい位置がゴルフボールＢに当たるように指圧器具Ｘの上に仰向けに寝る。また、椅子にもたれれて指圧をする場合は、椅子の背もたれにゴルフボールＢを挿入した状態の指圧器具Ｘをぶら下げ、椅子にもたれる。これによりゴルフボールＢによって背中のツボ等を押圧することができる。また、収納や運搬に際しては、ゴルフボールＢを挿入した状態のままでも、丸めてコンパクトにたたむことができ、ゴルフボールＢを取り出せば、折りたたんで小さくまとめることができる。
【０００８】
なお、球体保持部２１は、ここではゴム紐２０によりゴルフボールＢを上下から狭持するようなものとしているが、ゴム紐２０を一重にしてシート体１０とゴム紐２０との間でゴルフボールを狭持するようにしてもよい。この場合、シート体１０を伸縮性を有する素材で構成すれば、ゴム紐間で狭持するのと同様の効果が望める。
また、使用する球体をここではゴルフボールとしているが、球体保持部２１の大きさを適宜変えれば、球体は種々の球体を採用することができ、ガラス球や、ゴムボール、ビリヤード球等などを使用することも考えられる。
【図面の簡単な説明】
【０００９】
【図１】実施形態に係る指圧器具を示す斜視図である。
【図２】実施形態に係る指圧器具のゴルフボールを挿入した状態を示す斜視図である。
【図３】図２のＡ−Ａ端面図である。
【符号の説明】
【００１０】
Ｘ  指圧器具
１０  シート体
２０  ゴム紐
２１  球体保持部
【図１】
0003130678.tif 000003
【図２】
0003130678.tif 000004
【図３】
0003130678.tif 000005